(57)【要約】【課題】ティシュペーパーの取り出しと香りが持続性を向上させた香り付きティシュペーパー製品を提供する。【解決手段】  取出口に配されたシート材３０が、香料バリア層と香料の揮散を抑制する弱香料透過層とその間に介在された香料が含有された基材層とを有する多層構造を有し、そのシート材が収納箱１の上面１１からこれに連接する対面する両側面に至るまで配されているとともに、そのシート材に形成された前記スリットも上面からこれに連接する対面する両側面に至るまで配されているティシュペーパー製品により解決される。【選択図】図２
2014198593.tif 000002
【特許請求の範囲】
【請求項１】
少なくとも上面に取出口形成用ミシン目線を切り裂くことにより形成される取出口を有する箱体と、
その取出口の範囲を包含するように箱体内面に貼られたシート材と、シート材に形成されたスリットとを有する収納箱に、複数のティシュペーパーを折畳み重ねたティシュペーパー束が収納されている、ティシュペーパー製品であって、
前記ティシュペーパー束が、ティシュペーパーの折り返し縁と直交する方向に二つ折りされた状態で収納箱に収納され、
前記シート材が、香料バリア層と香料の揮散を抑制する弱香料透過層とその間に介在された香料が含有された基材層とを有する多層構造を有し、
前記シート材が前記箱体の上面からこれに連接する、対面する両側面に至るように貼付され、前記スリットも前記箱体の上面からこれに連接する、対面する両側面に至るように延在して形成されている、ことを特徴とするティシュペーパー製品。
【請求項２】
収納されるティシュペーパーの折り返し縁に沿う方向と前記スリットの長手方向とが直交している請求項１記載のティシュペーパー製品。
【請求項３】
取出口が、前記箱体の上面からこの上面に連接する、対面する両側面に至るように連続して形成される請求項１記載のティシュペーパー製品。
【発明の詳細な説明】
【技術分野】
【０００１】
本発明は、香り付きのティシュペーパー製品に関する。
【背景技術】
【０００２】
複数枚のティシュペーパーからなる束が収納箱内に収納され、その収納箱（カートン箱或いはカートンとも称される）に設けられた取出口からティシュペーパーを順次一枚ずつ（一組とされたものも含む）引き出して使用するティシュペーパー製品はよく知られる。
【０００３】
このティシュペーパー製品では、ティシュペーパーを連続してポップアップ式で取り出しやすくするために、取出口の幅よりも短い長さのスリットを有するシート材が取出口に設けられており、そのフィルムシートの柔軟性によって、ティシュペーパーの取り出し時にフィルムが変形してスムーズな取り出しが行なわれ、また、スリット両端部でティシュペーパーを支持して、箱内への落ち込みが防止されるようになっている。
【０００４】
一方、ティシュペーパー製品の中には、上記シート材に香料を塗布してティシュペーパーに香りを付与するものが知られている。しかし、従来のシート材に香料を塗工したものでは、未使用の状態での保管期間中に香料が収納箱を透過して揮散し、使用時に香りが感じられなくなることがあった。また、このようなシート材に香料を塗工したりするとシート材が硬くなりティシュペーパーの取出し性が悪化する。
【０００５】
特に、ティシュペーパー製品のなかでも、キューブタイプ、キュービックタイプと称される収納箱が概ね立方体形状でティシュペーパーの束が逆Ｕ字型に折曲げられて収められているものでは、その取出し性が非常に悪化する。
【先行技術文献】
【特許文献】
【０００６】
【特許文献１】特開２００８−１９５４１２
【特許文献２】特開２００４−２３１１９４
【特許文献３】特開２００４−２１７２９６
【発明の概要】
【発明が解決しようとする課題】
【０００７】
そこで、本発明の主たる課題は、使用開始時に香りが十分に感じられ、また、使用開始から所望の香りが継続的に安定して発せられ、しかも取出し性にも優れる香り付きティシュペーパー製品を提供することにある。
【課題を解決するための手段】
【０００８】
上記課題を解決した本発明は以下のとおりである。
〔請求項１記載の発明〕
少なくとも上面に取出口形成用ミシン目線を切り裂くことにより形成される取出口を有する箱体と、
その取出口の範囲を包含するように箱体内面に貼られたシート材と、シート材に形成されたスリットとを有する収納箱に、複数のティシュペーパーを折畳み重ねたティシュペーパー束が収納されている、ティシュペーパー製品であって、
前記ティシュペーパー束が、ティシュペーパーの折り返し縁と直交する方向に二つ折りされた状態で収納箱に収納され、
前記シート材が、香料バリア層と香料の揮散を抑制する弱香料透過層とその間に介在された香料が含有された基材層とを有する多層構造を有し、
前記シート材が前記箱体の上面からこれに連接する、対面する両側面に至るように貼付され、前記スリットも前記箱体の上面からこれに連接する、対面する両側面に至るように延在して形成されている、ことを特徴とするティシュペーパー製品。
【０００９】
〔請求項２記載の発明〕
収納されるティシュペーパーの折り返し縁に沿う方向と前記スリットの長手方向とが直交している請求項１記載のティシュペーパー製品。
【００１０】
〔請求項３記載の発明〕
取出口が、前記箱体の上面からこの上面に連接する、対面する両側面に至るように連続して形成される請求項１記載のティシュペーパー製品。
【発明の効果】
【００１１】
以上の本発明によれば、使用開始時に香りが十分に感じられ、また、使用開始から所望の香りが継続的に安定して発せられ、しかも取出し性にも優れる香り付きティシュペーパー製品が提供される。
【図面の簡単な説明】
【００１２】
【図１】本発明の第１実施形態のティシュペーパー製品の斜視図である。
【図２】本発明の第１実施形態の収納箱の組立て構造とティシュペーパー束の収納態様を説明するための斜視図である。
【図３】本発明の第１実施形態のティシュペーパー製品の使用態様を説明するための斜視図である。
【図４】本発明の第１実施形態に係る収納箱の展開図である。
【図５】本発明の実施形態のティシュペーパー製品のシート材を説明するための断面図である。
【図６】本発明の実施形態のシート材のスリットの動きを説明するための図である。
【図７】本発明の第２実施形態のティシュペーパー製品の斜視図である。
【図８】本発明の第２実施形態に係る収納箱の展開図である。
【図９】本発明の第２実施形態のティシュペーパー製品の使用態様を説明するための斜視図である。
【図１０】本発明の第２実施形態のティシュペーパー製品の他の例を説明するための斜視図である。
【発明を実施するための形態】
【００１３】
次いで、本発明の実施の形態を図面を参照しながら以下に詳述する。図１〜１０に、本発明の実施形態に係るティシュペーパー製品を示す。但し、本発明は、これら実施形態に限定されない。
【００１４】
〔第１実施形態〕
第１実施形態に係るティシュペーパー製品１００を図１〜６を参照しながら説明する。この第１実施形態に係るティシュペーパー製品は、複数枚のティシュペーパー２ｔ，２ｔ…が、折り畳まれ重層されてなるティシュペーパー束２が、取出口形成用ミシン目線２０を有する収納箱１に収納されており、前記取出口形成用ミシン目線２０を切り裂いて形成される取出口２０Ｘからティシュペーパー２ｔを取り出して使用する。
【００１５】
本実施形態に係るティシュペーパー製品１００は、特に、図２に示すように、方形のティシュペーパー２ｔが二つ折りされ、その折り返し片の縁が上下に隣接するティシュペーパー２ｔの折り返し内面に位置するようにして、互い違いに重なり合いつつ積層されたティシュペーパー束２が、前記ティシュペーパー２ｔの折り縁２eに直交する方向に逆Ｕ字型に二つ折りされ、上面側凸の態様で収納箱１に収納されている。上記積層構造のティシュペーパー束２は、最上位に位置する一枚の折り返し片を上方に引き上げると、その直下で隣接する他の一枚の折り返し片が、摩擦により上方に引きずられて持ち上げられ、なお、所謂ポップアップ式の構造である。ティシュペーパー束２におけるティシュペーパー２ｔの積層枚数が限定されないが、この種の製品の一般的な積層枚数を例示すれば、１２０〜２４０組である。
【００１６】
一方、図示の形態に係る収納箱１は、概ね立方体形状をなし、上面１１に取出口２０Ｘを形成するための取出口形成用ミシン目線２０を有する箱体１０と、少なくともその取出口形成用ミシン目線２０により囲まれる範囲２０ａを箱体内１１ｉ側から覆うシート材３０とで構成されている。
【００１７】
箱体１０は、収納箱１の外郭をなすものであり、その大きさ、外観形状、展開形状等は既知の収納箱の箱体の構成が採用されるが、本実施形態では、特に上記の逆Ｕ字型に二つ折りされた状態のティシュペーパー束が収納箱内で意図せずに動いたり、崩れたりしないように、対面する側面間の距離がともにティシュペーパー２ｔの折り縁２ｅの長さよりも短くなっている。なお、一般的な収納箱１の大きさは、概ね上面１１の１辺Ｌ１が９０〜１３０ｍｍ、高さＬ２が８０〜１５０ｍｍ程度であり、本発明に係る収納箱１もこの大きさとすることができる。箱体１０は内面や外面に適宜の印刷が施されていても良い。
【００１８】
箱体１０の基材としては、バージンパルプ、古紙パルプ等の各種のパルプを主原料とする既知の紙素材や紙加工素材、ポリプロピレン、ポリスチレン、ポリスチレンテレフタレート等の各種のプラスチック素材、シリコン等のゴム素材が採用できる。好適な箱体１０の素材は、米坪２５０〜５００ｇ／ｍ2のコートボール紙である。なお、本発明に係る米坪とは、ＪＩＳ Ｐ ８１２４（１９９８）の米坪測定方法によるものである。
【００１９】
図示の箱体１０の組立て構造は、図２、図４に示すように、底面１２と一方の側面１３Ａを糊代部１２Ａで糊付けして筒状とした後、上面１１、底面１２及びこれらを連接する側面１３Ａ，１３Ｂから延出する各フラップＦ，Ｆ…を箱内面側に折り返し、各フラップＦ，Ｆ…の当接部分をホットメルト接着剤等により接着して側面１３Ｃ，１３Ｄを構成した構造となっている。但し、本発明の箱体１０は、この組立て構造に限定されるわけではない。
【００２０】
他方、箱体１０の上面に形成される取出口形成用ミシン目線２０は環状をなすもので、そのカットタイ比は適宜の値とすることができる。取出口形成用ミシン目線２０は、通常のミシン目線の他、二重ミシン目線、ジッパーミシン目線等で構成することができる。一部分のみ二重ミシン目線としてもよい。
【００２１】
本実施形態に係る取出口形成用ミシン目線２０に囲まれる範囲２０ａの形状は、前記取出口形成用ミシン目線２０が、箱体上面の縁に沿う方向に延在する長辺２１，２１とこの長辺２１，２１の端同士を繋ぐ短辺２２，２２とで構成されてなる角取りの長方形、或いはその長辺２１，２１の中央部を外方に向かってやや膨張させてアーチ状とした楕円に近い形状、さらに長軸短軸が上面１１の縁に沿うように形成された楕円形が例示できる。図示の形態は角取り長方形の例である。本実施形態に係る取出口２０Ｘは、取出口形成用ミシン目線２０の裂開により形成されるものであるから、その取出口２０Ｘの形状も上記取出口形成用ミシン目線に囲まれる範囲２０ａの形状と同様となる。
【００２２】
他方、本実施形態に係るシート材３０は、前記取出口形成用ミシン目線２０により囲まれる範囲２１ａより大きく、例えば、矩形や楕円形であり、箱体の内面側１１ｉにおいて、特に取出口形成用ミシン目線２０の切り剥がしに影響がないように、取出口形成用ミシン目線２０に囲まれる範囲２１ａの外側で図示されない接着剤によって貼付されている。このシート材３０には、スリット３１が形成されており、このスリット３１の一部が前記取出口形成用ミシン目線２０により囲まれる範囲２０ａの長手方向に沿って位置されている。したがって、第１実施形態に係るティシュペーパー製品では、図１、図３に示すとおり、取出口形成用ミシン目線２０で囲まれる範囲２０ａの一部又は全部を切り剥がすことにより、紙箱上面１１に取出口２０Ｘが形成されるとともに、前記シート材３０及びスリット３１の一部が取出口２０Ｘを介して露出される。
【００２３】
他方、本実施形態に係るシート材３０は、特徴的に、図５に示すように、香料バリア層３０ｂと香料の揮散を抑制する弱香料透過層３０ｃとその間に介在された香料が含有された基材層３０ａとを有する多層構造となっており、特に香料弱透過層３０ｃが収納箱内面側に位置するようにして収納箱内面に貼付されている。係る層構造を採ることで、基材層３０ａ中の香料が香料バリア層側から揮散せずに、香料弱透過層３０ｃを介して収納箱内に向かって緩やかに揮散されることになり、適度な強さの香りが長期間安定的に収納箱内に放たれるようになっている。したがって、ティシュペーパー製品１００の保管期間が長くとも使用開始時に香りが弱くなることがない。なお、基材層３０ａ、香料弱透過層３０ｃ及び香料バリア層３０ｂは、必ずしも単層である必要はなく、その機能を阻害しない態様であれば複数層からなる層であってもよい。
【００２４】
ここで、シート材３０を構成する各層について詳述すると、まず、香料バリア層３０ｂは、具体的には、樹脂製フィルム層が望ましく、特に、酸素の透過度が２００ｃｃ／ｍ2・２４ｈ／ａｔｍ未満、炭酸ガスの透過度が９００ｃｃ／ｍ2・２４ｈ／ａｔｍ未満の樹脂製フィルム層が望ましい。上記ガスの透過度を有する樹脂製フィルム層であれば、香料の揮散を好適に防止することが可能となる。
【００２５】
香料バリア層３０ｂを形成する樹脂製フィルム層として好適なものは、ポリエチレンテレフタレートフィルム層、ポリ塩化ビニリデンフィルム層、株式会社クラレ社製のエバールなどのＥＶＯＨ樹脂フィルム層（エチレン−ビニルアルコール共重合体フィルム層）、ＥＶＯＨ樹脂にスチレン系エラストマーを配合した樹脂からなるフィルム層が挙げられ、これらの中から香料との関係で保香性等を考慮して適宜選択することができる。
【００２６】
香料バリア層３０ｂの厚みは、５〜１５μｍであるのが望ましい。この範囲であれば、香料の透過を十分に防止でき、また、シート材３０全体を過度に厚くしたり硬くすることがなく、スリット３１からのティシュペーパー２ｔの取出時の抵抗を過度に高めないようにすることができる。
【００２７】
なお、本実施形態のティシュペーパー製品１００において、特に好ましい香料バリア層３０ｂは、ポリエチレンテレフタレートフィルム層である。
【００２８】
一方、基材層３０ａは、香料を含有した薄膜の接着剤層や粘着剤層、香料を練り込んだ樹脂製フィルム層が例示できる。基材層３０ａを接着剤層等として形成する場合、例えば、天然ゴム系、天然ゴムラテックス系、アクリル系、ホットメルト系、ポリエステル系の粘着剤や接着剤を用いることができる。香料を練り込んだ樹脂製フィルムとする場合、基材樹脂は、スチレンブロックとジエンブロックを有するゴム質ブロック共重合体が望ましい。係るゴム質ブロック共重合体としては、スチレン-ブタジエン共重合体、スチレン-イソプレン共重合体、スチレン-ブタジエン-スチレン共重合体、スチレン-イソプレン-スチレン共重合体、スチレン-イソプレン-ブチレン-スチレン共重合体、スチレン-エチレン-プロピレン-スチレン共重合体、及びこれらの水素添加物が例示できる。
【００２９】
基材層中に含有させる香料は、特に限定されない。香料としては植物の花、葉から抽出されるフローラル系のもの、動物由来のオリエンタル系のもの、柑橘系由来のフルーツ系のもの、香木から抽出されるウッディ系のものに大別されるが、そのいずれも使用することができる。合成香料も使用できる。なお、フローラル系の代表例としてはバラ、ジャスミン、スズランに係るものなどが挙げられる。オリエンタル系の代表例としてアンバーグリス、ムスク、シベット、バニラ、ミルラ、乳香に係るものなどが挙げられる。フルーツ系の代表例としてはレモン、ライム、オレンジ、ベルガモット、マンダリンなど柑橘類に由来するシトラス系のものが挙げられる。ウッディ系の代表例としては、ビャクダン、パチュリなどに係るものが例示できる。特に、フローラル系の中には、香りによって気分を和らげたり、よい睡眠が得られるなど様々な効能があると言われるハーブ系の香料があり、本実施形態では係る香料を用いることもできる。この種の香料としては、ローズヒップ、ローズマリー、ローリエ、ヒソップ 、レモンバーム、ミント、ハッカ、ジャスミン、バジリコ、オレガノ 、マジョラム 、シソ 、エゴマ 、セージ 、セイボリー、タイム 、アニス 、イノンド、ディル、アンゼリカ 、チャービル、コリアンダー、ミツバ 、フェンネル 、ロベッジ、ラビジ、パセリ 、チャイブ 、ニラ 、タラゴン 、レモンマートル、ルリジサ、ボリジ、ケッパー、レモングラス 、ゲッケイジュ、ベイリーフ、ローレル、レモンバーベナ 、オオバゲッキツ、カレーリーフ、ギシギシ、セイバ、キンレンカ、ナスタチウム 、マスティハ、セイヨウノコギリソウ、ヤロー、ムラサキバレンギク、エキナセア、エキナシア 、カモミール、ナツシロギク、フィーバーフュー 、セイヨウタンポポ、ダンデライオン 、ニガヨモギ、ワームウッド、タンジー、ヨモギギク、セイヨウフキ、バターバー、ラベンダー 、ホアハウンド 、イヌハッカ、キャットニップ 、チクマハッカ、キャットミント 、クラリセージ、オニサルビア、サンザシ、セント・ジョーンズ・ワート、セイヨウオトギリソウ、トケイソウ、パッションフラワー、ヘンルーダ 、セイヨウカノコソウ 、ゲッケイジュ、イランイランなどに係るものが挙げられる。
【００３０】
接着剤等や基剤樹脂への香料の配合割合は、香料の種類・揮発性等により定めることができるが、継続的にほのかに香気を発し、しかもコスト高とならないようにする点から、接着剤中に含有する場合には、０．５〜１５ｇ／ｍ2、特に３〜８ｇ／ｍ2の樹脂製フィルムとする場合には、基材樹脂中に１〜５０重量％の香料を配合させるようにするのがよい。
【００３１】
基材層の厚みは、２０〜４０μｍであるのが望ましい。この範囲であれば、香料を十分な量含有でき、また、シート材３０全体を過度に厚くしたり硬くすることがなく、スリット３１からのティシュペーパーの取出時の抵抗を過度に高めないようにすることができる。
【００３２】
香料弱透過層３０ｃについても、樹脂製フィルム層が望ましく、特に酸素の透過度が７００ｃｃ／ｍ2・２４ｈ／ａｔｍ以上、炭酸ガスの透過度が４０００ｃｃ／ｍ2・２４ｈ／ａｔｍ以上である樹脂製フィルム層が望ましい。上記ガスの透過度を有する樹脂製フィルム層であれば、基材層３０ａに含有させた香料を適度に揮散させて徐放性の効果を十分に発揮させることができ、継続的に安定した強さの香りを発するようにすることができる。香料弱透過層３０ｃを形成する樹脂製フィルム層として好適なものは、ポリエチレンフィルム層、ポリスチレンフィルム層、ポリプロピレンフィルム層、ポリカーボネートフィルム層が挙げられ、これらの中から香料との関係で適宜選択することができる。
【００３３】
香料弱透過層３０ｃの厚みは、２５〜４０μｍであるのが望ましい。この範囲であれば、ティシュペーパー製品１００の一般的な保管期間において十分に継続的に安定して香りを発するようにでき、また、シート材３０全体を過度に厚くしたり硬くすることがなく、スリット３１からのティシュペーパー２ｔの取出時の抵抗を過度に高めないようにすることができる。
【００３４】
なお、本実施形態のティシュペーパー製品１００において、特に好ましい香料バリア層３０ｂは、ポリエチレンフィルム層である。
【００３５】
上記構造の本実施形態に係るシート材３０は、基材層３０ａ、香料バリア層３０ｂ、香料弱透過層３０ｃを、Ｔダイ法による共押出法、押し出しラミネート法、ドライラミネート法によって積層一体化して形成することができる。
【００３６】
また、本実施形態に係るティシュペーパー製品１００では、上記構成のシート材３０は、全体として厚みが５０〜１００μｍであるのが望ましい。なお、本発明に係るシート材３０の厚みは、ダイヤルシックネスゲージ（厚み測定器）「ＰＥＡＣＯＣＫ Ｇ型」（尾崎製作所製）を用い測定する。芳香フィルム、シート材は積層一体化された状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、測定を１０回行って得られる平均値とする。
【００３７】
本実施形態に係るティシュペーパー製品１００では、シート材３０として上記説明の多層構造のフィルムを用いることにより、優れた香気の持続性を有するものとなっているが、さらにこのような多層構造化にともなうシート材３０の剛性の高まりによるティシュペーパー２ｔの引き出し性の悪化が、特徴的なシート材３０の収納箱内面への貼付態様とスリット構成により改善されている。すなわち、本実施形態に係るティシュペーパー製品１００では、特に図からも理解されるように、シート材３０が収納箱内面側において上面１１の内側面からこれに連接する、対面する両側面１３Ｃ，１３Ｄに至るまでその内面形状に沿って貼着され、前記スリット３１もそのシート材３０の上面１１からこれに連接する、対面する両側面１３Ｃ，１３Ｄに至る部分にまで延在されて形成されている。また、シート材３０は、その周縁部で、少なくともスリット３１の延在方向に直行する方向に、スリット３１から離間する位置で接着剤により接着されている。このようなシート材３１の収納箱内面への貼付態様とスリット構成により、本実施形態に係るティシュペーパー製品１００では、特に図６にスリット３１を側面側から観た際の動きを示すように、スリット３１からティシュペーパーを引き出す際には、図６（Ｂ）のように、スリット３１の側面に位置する部分、とりわけスリット端３１ｅを起点として、スリット３１に直行する方向に大きく開くようになり、ティシュペーパー２ｔの取出しがスムーズに行なわれるようになる。また、本実施形態に係るティシュペーパー製品１００では、スリット間が大きく開くことが可能である一方、多層構造によりシート材３１の剛性の高まっていることから、その開口を閉じようとする力も強く、ポップアップ式の束２からスリット３１を介して引き出されたティシュペーパー２ｔは、スリット間に挟持されるように支持され、収納箱内への落ち込みも十分に防止される。なお、このティシュペーパー２ｔの支持メカニズムは、従来のティシュペーパー製品におけるスリットの両端間でティシュペーパーを支えるようにして行なわれていた支持メカニズムとは異なるものである。
【００３８】
ここで、図６に示すような、スリット３１の延在方向に直行する方向に開口するシート材３１の動きが効果的に行えるように、シート材３１を収納箱内面に接着するための接着剤の位置は、スリット３１からそのスリット３１の延在方向に直行する方向に１５ｍｍの範囲には設けないのが望ましい。また、スリットの延在方向には０〜６ｍｍの範囲に設けないのが望ましい。
【００３９】
なお、図示の形態では、フラップＦを閉じることにより形成される側面１３Ｃ，１３Ｄに至るようにシート材が貼付されているが、必ずしもこの側面に限定されない。上面１１から図示の側面１３Ａ，１３Ｂに至るように配することもできる。
【００４０】
なお、本実施形態に係るティシュペーパー製品１００では、収納箱内にティシュペーパー束２が、そのティシュペーパー２ｔの折り縁２eに沿う方向と前記スリット３１の延在方向とが直交するように収納されているのが望ましい。このティシュペーパー束２の収納態様は、製造時にティシュペーパー束２を収納箱内に収めやすく、しかも、スリット３１からティシュペーパー２ｔを引き出しやすくなる態様であり、本実施形態のスリット態様に採用するに特に適する。
【００４１】
以上詳述のとおり本実施形態のティシュペーパー製品１００では、香気の持続性に優れ、しかもティシュペーパー２ｔの取出し性にも優れる。
【００４２】
なお、ティシュペーパー束２を構成するティシュペーパー２ｔは、２枚〜３枚の薄葉紙が積層されたプライ構造を有しているのが望ましい。その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００４３】
本発明に係るティシュペーパー２ｔの各プライを構成する薄葉紙１枚あたりの米坪は、好ましくは９〜２５ｇ／ｍ2、より好ましくは１０〜１５ｇ／ｍ2である。米坪が９ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００４４】
他方、本発明に係るティシュペーパー２ｔの紙厚は、２プライの状態で１００〜１６０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１６０μｍ超では、ティシュペーパーの肌触りが悪化するとともに、使用時にゴワツキ感が生じるようになる。
【００４５】
なお、紙厚については、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて紙厚は２プライの状態で測定した値である。なお、この厚みの測定時の荷重は、１２０μｍの際に約７０ｇｆである。また、測定を１０回行って得られる平均値とする。
【００４６】
〔第２実施形態〕
次いで、本発明の第２実施形態を図７〜１０を参照しながら説明する。第２実施形態は、第１実施形態と取出口の形状が異なる形態である。フィルムの層構造等は第１実施形態と同様であり、その第１実施形態と同様の構成については、図面に同番号の符号を付するとともに説明は省略する。
【００４７】
第２実施形態は、図から理解されるように、取出口形成用ミシン目線２０の一対の長辺２１，２１が、上面１１からこれに連接する、対面する側面１３Ｃ，１３Ｄに至るまで延在されており、その長辺２１，２１の端を繋ぐ短辺２２，２２が前記側面１３Ｃ，１３Ｄに形成されている。したがって、取出口形成用ミシン目線２０で囲まれる範囲２０ａが箱体上面からこれに連接する、対面する側面に至る範囲となっており、その取出口形成用ミシン目線２０の裂開により形成される取出口２０Ｘも同範囲となっている。
【００４８】
この第２実施形態においても第１実施形態と同様の効果が得られる。特に第２実施形態においては、シート材３０の動きが箱体１の側面１３Ｃ，１３Ｄにより抑制されないので、より大きくシート材３０が動くことができ、ティシュペーパー２ｔの取出しはよりスムーズに行えるようになる。
【００４９】
なお、第２実施形態においては、図９に示すように、スリット端３１ｅが箱体１０により隠れる態様としてもよいし、図１０に示すように、取出口２０Ｘに全部露出される態様としてもよい。
【符号の説明】
【００５０】
１００…ティシュペーパー製品、２…ティシュペーパー束、２ｔ…ティシュペーパー、２e…ティシュペーパーの折り縁、１１…収納箱（紙箱）上面、２０…取出口形成用ミシン目線、１１ｉ…収納箱（紙箱）上面の内側面、１…収納箱、２０ａ…取出口形成用ミシン目線で囲まれる範囲、２０Ｘ…取出口、３０…シート材、１０…箱体、１２…収納箱（紙箱）底面、１２Ａ…糊代部、１３Ａ，１３Ｂ，１３Ｃ，１３Ｄ…収納箱（紙箱）長側面、Ｆ…フラップ、２１…取出口形成用ミシン目線の長辺、２２…取出口形成用ミシン目線の短辺、３１…スリット、３１ｅ…スリット端、３０ａ…基材層、３０ｂ…香料バリア層、３０ｃ…香料弱透過層、Ｌ１…収納箱の長手縁、Ｌ２…収納箱の高さ。
【図１】
2014198593.tif 000003
【図２】
2014198593.tif 000004
【図３】
2014198593.tif 000005
【図４】
2014198593.tif 000006
【図５】
2014198593.tif 000007
【図６】
2014198593.tif 000008
【図７】
2014198593.tif 000009
【図８】
2014198593.tif 000010
【図９】
2014198593.tif 000011
【図１０】
2014198593.tif 000012